(57)【要約】      （修正有）【課題】結束バンドの取り付けを容易に行えるとともに、結束バンドを用いてケーブルをしっかりと束ねることができるケーブル結束装置を提供する。【解決手段】ケーブル結束装置は、ケーブルを束ねる結束バンド19が取り付けられるバンド取り付け部18を備えている。バンド取り付け部18は、結束バンド19が挿入される挿入部25と、結束バンド19が導かれる導出部26と、挿入部25と導出部26とを隔てる開口27と、結束バンド19を通す隙間35を存して開口27と向かい合う結束部28とを有している。結束バンド19は、挿入部25から隙間35を通して導出部26に導くとともに、結束部28にループ状に巻き付けることでケーブルを束ねてバンド取り付け部18に保持する。挿入部25は、開口27に連なる第１の端部34aを有するとともに、導出部26は、開口27に連なる第２の端部34bを有している。第２の端部34bは、第１の端部34aよりも結束部28から遠ざかる方向にずれている。【選択図】図５
2007227635.tif 000002
【特許請求の範囲】
【請求項１】
ケーブルを束ねる結束バンドが挿入される挿入部と、上記挿入部に挿入された結束バンドが導かれる導出部と、上記挿入部と上記導出部とを隔てる開口と、を有するバンド取り付け部と、
上記バンド取り付け部に設けられ、上記開口との間に上記結束バンドを通す隙間を存して上記開口と向かい合う結束部と、を具備し、
上記挿入部に挿入された上記結束バンドを、上記隙間を通して上記導出部に導入するとともに、この結束バンドを上記結束部にループ状に巻き付けることで上記ケーブルを束ねるケーブル結束装置であって、
上記挿入部は、上記開口に連なる第１の端部を有するとともに、上記導出部は、上記開口に連なる第２の端部を有し、上記第２の端部は、上記第１の端部よりも上記結束部から遠ざかる方向にずれていることを特徴とするケーブル結束装置。
【請求項２】
請求項１の記載において、上記導出部は、上記結束バンドが摺動可能に接するガイド面を有し、このガイド面は、上記開口から上記結束バンドの導入方向に遠ざかるに従い上記結束部に近づく方向に傾斜することを特徴とするケーブル結束装置。
【請求項３】
請求項１の記載において、上記導出部は、上記結束バンドが摺動可能に接するガイド面を有し、このガイド面は、上記開口から上記結束バンドの導入方向に遠ざかるに従い上記結束部に近づく方向に円弧状に湾曲することを特徴とするケーブル結束装置。
【請求項４】
請求項２又は請求項３の記載において、上記結束バンドを上記挿入部から上記隙間を通して上記導出部に導いた時に、上記結束バンドの先端は、上記導出部のガイド面に対し９０°よりも小さな角度で突き当たることを特徴とするケーブル結束装置。
【請求項５】
請求項２の記載において、上記導出部のガイド面は、上記結束バンドの先端が９０°よりも小さな角度で突き当たるように傾斜することを特徴とするケーブル結束装置。
【請求項６】
請求項１の記載において、上記結束バンドが上記導出部から上記バンド取り付け部の外に導出された時に、この結束バンドの先端が９０°よりも小さな角度で突き当たる壁をさらに備えていることを特徴とするケーブル結束装置。
【請求項７】
請求項１の記載において、上記結束部は、上記ケーブルの配線方向に沿って延びる棒状をなすとともに、上記バンド取り付け部は、上記結束部よりも上記導出部の方向に張り出す壁を有し、上記ケーブルを上記結束バンドを介して上記結束部に沿うように束ねた時に、上記ケーブルが上記壁の縁に接触してクランク状に折れ曲がることを特徴とするケーブル結束装置。
【請求項８】
筐体と、
上記筐体に設けられ、ケーブルを束ねて保持するバンド取り付け部と、を備え、
上記バンド取り付け部は、
結束バンドが挿入される挿入部と、
上記挿入部に挿入された結束バンドが導かれる導出部と、
上記挿入部と上記導出部とを隔てる開口と、
上記開口との間に上記結束バンドを通す隙間を存して上記開口と向かい合う結束部と、を含み、
上記挿入部に挿入された上記結束バンドを、上記隙間を通して上記導出部に導くとともに、この結束バンドを上記結束部にループ状に巻き付けることで上記ケーブルを上記バンド取り付け部に束ねて保持する電子機器であって、
上記挿入部は、上記開口に連なる第１の端部を有するとともに、上記導出部は、上記開口に連なる第２の端部を有し、上記第２の端部は、上記第１の端部よりも上記結束部から遠ざかる方向にずれていることを特徴とする電子機器。
【請求項９】
請求項８の記載において、上記筐体は、上記結束バンドが上記導出部から上記バンド取り付け部の外に導出された時に、この結束バンドの先端が９０°よりも小さな角度で突き当たる壁を有することを特徴とする電子機器。
【請求項１０】
請求項８の記載において、上記バンド取り付け部は、上記筐体と一体に型成形され、上記開口は、上記筐体の外に開口する型抜き用の孔であることを特徴とする電子機器。
【請求項１１】
請求項８の記載において、上記結束部は、上記ケーブルの配線方向に沿って延びる棒状をなすとともに、上記バンド取り付け部は、上記結束部よりも上記導出部の方向に張り出す壁を有し、上記ケーブルを上記結束バンドを介して上記結束部に沿うように束ねた時に、上記ケーブルが上記壁の縁に接触してクランク状に折れ曲がることを特徴とする電子機器。
【発明の詳細な説明】
【技術分野】
【０００１】
本発明は、例えば電話回線用のケーブルを結束バンドによってバンド取り付け部に結束するケーブル結束装置およびケーブル結束装置を有する電子機器に関する。
【背景技術】
【０００２】
例えば電話回線に接続して使用するコントロールボックスは、複数本のケーブルが導入される筐体を有している。この種の筐体は、合成樹脂材料によって一体に型成形されており、この筐体の内部に複数本のケーブルを一つに束ねて保持するバンド取り付け部が形成されている。
【０００３】
従来のバンド取り付け部は、筐体の底部に設けられた水平な固定部と、この固定部の上に一体に形成されたガイド溝と、このガイド溝の一端から起立するガイド筒体とを備えている。
【０００４】
ガイド溝は、ケーブルを束ねる結束バンドよりも幅広く形成された底部と、この底部の両側縁から立ち上がる一対の側壁とを有し、固定部の上方に向けて開口している。側壁の上縁の一部に抜止片が形成されている。抜止片は、ガイド溝から結束バンドが外れるのを防止するためのものであり、側壁の上縁からガイド溝内に張り出している。ガイド溝の底部に型抜き孔が形成されている。型抜き孔は、ガイド溝内に開口するとともに、上記抜止片と向かい合っている。
【０００５】
ガイド筒体は、結束バンドをガイド溝に導くためのものであり、その上端に結束バンドを挿入する挿入口が形成されている。挿入口は、結束バンドの挿入を容易に行えるように、ガイド筒体の突出方向に対し傾斜するように形成されている。このため、挿入口の開口面積がガイド筒体の突出方向に沿って広がるとともに、挿入口の開口下縁がガイド溝に近づいている。
【０００６】
結束すべきケーブルは、ガイド溝の側壁の上にガイド溝と略直交する方向に沿って置かれている。結束バンドは、ケーブルを側壁の上に置いた状態で、ガイド筒体の挿入口に挿入される。挿入口に挿入された結束バンドは、ガイド筒体を介してガイド溝の一端に導かれるとともに、ガイド溝の底部と抜止片との間を通ってガイド溝の上方に引き出される。この状態で、結束バンドをループ状に形成して締め付けると、複数本のケーブルが一つに束ねられて、筐体のバンド取り付け部に保持される（例えば、特許文献１参照）。
【特許文献１】特開２００５−５１００３号公報（図１、図４および図５）
【発明の開示】
【発明が解決しようとする課題】
【０００７】
特許文献１に開示されたバンド取り付け部によると、結束バンドを挿入する挿入口は、ガイド筒体の突出方向に対し傾斜するように形成され、挿入口の開口面積がガイド筒体の突出方向に沿って広がっている。
【０００８】
この構成の場合、挿入口が広がった分、この挿入口に結束バンドをいろいろな向きで挿入できるので、例えば結束バンドを挿入口の下端付近から水平に近い角度で挿入すると、結束バンドの先端がガイド溝から浮き上がって抜止片の上を通過することがあり得る。
【０００９】
このため、結束バンドをガイド筒体と抜止片との間に跨るようにループ状に締め付けることができなくなり、バンド取り付け部に対する結束バンドの取り付け方が不適切なものとなる。よって、ケーブルの径によっては、ケーブルをしっかりと束ねることができなくなり、ケーブルが軸方向にずれ動くといった不具合が生じてくる。
【００１０】
さらに、例えば結束バンドを挿入口の真上から差し込んだ場合は、結束バンドの先端がガイド溝の底部に垂直に近い角度で突き当たる。このため、結束バンドの先端がガイド溝の底部に引っ掛かり、結束バンドの円滑な挿入作業が妨げられてしまう。
【００１１】
それとともに、ガイド溝の底部には型抜き用の孔が存在するので、結束バンドの挿入時に、結束バンドの先端が型抜き用の孔に引っ掛かったり、孔内に入り込むことがあり得る。特に、結束バンドが孔に入り込んだ場合には、この結束バンドが孔から筐体の外に飛び出してしまい、ケーブルを束ねることができなくなる。
【００１２】
本発明の目的は、結束バンドの取り付けを容易に行えるとともに、結束バンドを用いてケーブルをしっかりと束ねることができるケーブル結束装置を得ることにある。
【００１３】
本発明の他の目的は、結束バンドの取り付けを容易に行えるとともに、ケーブルをしっかりと束ねることができるバンド取り付け部を有する電子機器を得ることにある。
【課題を解決するための手段】
【００１４】
上記目的を達成するため、本発明の一つに形態に係るケーブル結束装置は、  
ケーブルを束ねる結束バンドが挿入される挿入部と、上記挿入部に挿入された結束バンドが導かれる導出部と、上記挿入部と上記導出部とを隔てる開口と、を有するバンド取り付け部と、  
上記バンド取り付け部に設けられ、上記開口との間に上記結束バンドを通す隙間を存して上記開口と向かい合う結束部と、を備え、  
上記挿入部に挿入された上記結束バンドを、上記隙間を通して上記導出部に導入するとともに、この結束バンドを上記結束部にループ状に巻き付けることで上記ケーブルを束ねるケーブル結束装置であって、
上記挿入部は、上記開口に連なる第１の端部を有するとともに、上記導出部は、上記開口に連なる第２の端部を有し、上記第２の端部は、上記第１の端部よりも上記結束部から遠ざかる方向にずれていることを特徴としている。
【００１５】
上記目的を達成するため、本発明の一つの形態に係る電子機器は、  
筐体と、この筐体に設けられ、ケーブルを束ねて保持するバンド取り付け部と、を備えており、  
上記バンド取り付け部は、(1)結束バンドが挿入される挿入部と、(2)上記挿入部に挿入された結束バンドが導かれる導出部と、(3)上記挿入部と上記導出部とを隔てる開口と、(4)上記開口との間に上記結束バンドを通す隙間を存して上記開口と向かい合う結束部と、を含み、  
上記挿入部に挿入された上記結束バンドを、上記隙間を通して上記導出部に導くとともに、この結束バンドを上記結束部にループ状に巻き付けることで上記ケーブルを上記バンド取り付け部に束ねて保持する電子機器であって、
上記挿入部は、上記開口に連なる第１の端部を有するとともに、上記導出部は、上記開口に連なる第２の端部を有し、上記第２の端部は、上記第１の端部よりも上記結束部から遠ざかる方向にずれていることを特徴としている。
【発明の効果】
【００１６】
本発明によれば、挿入部から挿入された結束バンドの先端を導出部で確実に受け止めることができる。このため、結束バンドの先端が開口に引っ掛かることはなく、結束バンドをバンド取り付け部に容易に取り付けることができる。
【００１７】
それとともに、結束バンドをバンド取り付け部の結束部にループ状に確実に巻き付けることができ、この結束バンドを用いてケーブルをしっかりと束ねることができる。
【発明を実施するための最良の形態】
【００１８】
以下本発明の第１の実施の形態を、図１ないし図７に基づいて説明する。
【００１９】
図１および図２は、電子機器の一例である電話回線用のコントロールボックス１を開示している。コントロールボックス１は、例えば電話機と外部スピーカとの間を中継するためのものであり、箱形の筐体２を有している。
【００２０】
筐体２は、ベース３とトップカバー４とで構成されている。ベース３およびトップカバー４は、夫々合成樹脂材料により一体に射出成形されている。ベース３およびトップカバー４を射出成形するに当っては、キャビティとコアとを組み合わせた金型（図示せず）が用いられる。
【００２１】
ベース３は、四角い底壁５と、この底壁５の周縁から立ち上がる周壁６とを備えている。周壁６は、ベース３の幅方向に延びる一対の第１の壁部７ａ（一方のみを図示）と、ベース３の奥行き方向に延びる一対の第２の壁部７ｂ（一方のみを）とを有し、ベース３の周方向に連続している。
【００２２】
トップカバー４は、ベース３に取り外し可能に被せられている。トップカバー４は、ベース３と協働して筐体２の内部に収容室８を形成している。
【００２３】
図２に示すように、筐体２の収容室８にプリント回路板１０が収容されている。プリント回路板１０は、ベース３の底壁５から突出する複数のボス部１１（図５〜図７に一つのみを図示）の上に固定されて、底壁５に沿うように水平に保持されている。
【００２４】
プリント回路板１０の上面にケーブルコネクタ１２および複数の回路部品１３が実装されている。ケーブルコネクタ１２は、例えば電話機、交換機および外部スピーカから導かれる複数本のケーブル１４を接続するためのものである。ケーブル１４は、ベース３の第１の壁部７ａに開けたケーブル導入孔１５を貫通して筐体２の収容室８に導かれている。ケーブル１４は、第１の壁部７ａと略直交する方向に沿って延びている。
【００２５】
図２ないし図４に示すように、筐体２のベース３は、バンド取り付け部１８を備えている。バンド取り付け部１８は、例えば合成樹脂製の結束バンド１９と協働して複数本のケーブル１４を束ねるためのものである。バンド取り付け部１８は、ベース３の内部に一体に形成されて、ケーブル導入孔１５と隣り合っている。
【００２６】
図４および図６に示すように、結束バンド１９は、バンド部２０とラッチ部２１とを備えている。バンド部２０は、可撓性を有するとともに、複数本のケーブル１４を一つに束ねるに十分な長さを有する帯状をなしている。バンド部２０は、結束バンド１９の挿入側に位置する先端２０ａと、この先端２０ａの反対側に位置する他端２０ｂとを含んでいる。
【００２７】
ラッチ部２１は、バンド部２０の他端２０ｂに一体に形成されている。ラッチ部２１は、バンド部２０が挿通可能な筒形をなしている。そのため、バンド部２０の先端２０ａをラッチ部２１に差し込んで引っ張ると、結束バンド１９がループ状に形成される。それとともに、バンド部２０がラッチ部２１に引っ掛かり、結束バンド１９がループ形状を維持するようにバンド部２０の抜け止めがなされる。
【００２８】
バンド取り付け部１８は、ベース３の第１の壁部７ａと向かい合う対向壁２３を有している。対向壁２３は、ベース３の底壁５から起立するとともに、第１の壁部７ａとの間に結束バンド１９を通す溝部２４を形成している。溝部２４は、ベース３の幅方向に延びるとともに、ベース３の上方に向けて開口している。
【００２９】
図３および図５に示すように、溝部２４は、挿入部２５、導出部２６、開口２７および結束部２８を備えている。挿入部２５は、溝部２４の一端に位置している。この挿入部２５は、端壁３０と底壁３１とを有している。端壁３０は、第１の壁部７ａと対向壁２３との間に跨るように起立している。底壁３１は、第１の壁部７ａと対向壁２３との間に跨るようにベース３の幅方向に延びるとともに、端壁３０の高さ方向に沿う中間部に連続している。
【００３０】
導出部２６は、溝部２４の他端に位置している。この導出部２６は、底壁３３を有している。底壁３３は、第１の壁部７ａと対向壁２３との間に跨るようにベース３の幅方向に延びている。
【００３１】
開口２８は、挿入部２５の底壁３１と導出部２６の底壁３３との間に位置している。この開口２８は、第１の壁部７ａと対向壁２３との間に跨るスリット状の開口形状を有し、上記溝部２４の内側で挿入部２５と導出部２６とを隔てている。そのため、挿入部２５の底壁３１は、開口２８に連なる第１の端部３４ａを有し、導出部２６の底壁３３は、開口２８に連なる第２の端部３４ｂを有している。
【００３２】
結束部２８は、四角い棒状をなしている。結束部２８は、ケーブル１４の配線方向に沿うように第１の壁部７ａと対向壁２３との間に亘って水平に架け渡されている。さらに、結束部２８は、開口２７の真上に位置しており、この開口２７との間に上記結束バンド１９を通すに十分な隙間３５を存して上記開口２７と向かい合っている。本実施の形態によると、結束部２８は、ベース３と一体に射出成形されるために、上記開口２７は、射出成形用の金型を抜くための型抜き孔となっている。
【００３３】
図５に示すように、導出部２６の底壁３３は、結束バンド１９の先端２０ａが摺動可能に突き当たるガイド面３６を有している。ガイド面３６は、溝部２４内に露出するとともに、開口２７から結束バンド１９の導入方向に遠ざかるに従い溝部２４の上方に向けて真っ直ぐに傾斜している。
【００３４】
本実施の形態の場合、挿入部２５から挿入された結束バンド１９の先端２０ａは、ガイド面３６に対し９０°よりも小さな角度θ１（θ１＜９０°）で突き当たるようになっている。言い換えると、ガイド面３６は、結束バンド１９の先端２０ａが９０°よりも小さな角度θ１で突き当たるように傾斜している。
【００３５】
さらに、導出部２６の第２の端部３４ｂは、挿入部２５の第１の端部３４ａよりも下方に位置している。そのため、第２の端部３４ｂは、第１の端部３４ａよりも結束部２８から遠ざかる方向にずれている。この結果、結束部２８から第１の端部３４ａまでの距離Ｌ１は、結束部２８から第２の端部３４ｂまでの距離Ｌ２よりも短くなっている。
【００３６】
図３ないし図６に示すように、ベース３の第２の壁部７ｂは、バンド取り付け部１８の導出部２６に対して結束バンド１９の導出方向に隣り合うように位置している。本実施の形態によると、結束バンド１９の先端２０ａが導出部２６から溝部２４の外に導出された時に、この結束バンド１９の先端２０ａは、第２の壁部７ｂに対し９０°よりも小さな角度θ２（θ２＜９０°）で突き当たるようになっている。
【００３７】
バンド取り付け部１８の対向壁２３は、導出部２６に対応する位置に切り欠き部３８を備えている。切り欠き部３８は、ケーブル１４の配線方向と略直交するようにベース３の高さ方向に延びる縁３９を有している。この縁３９は、結束部２８よりも導出部２６の方向に張り出している。
【００３８】
次に、複数本のケーブル１４をベース３のバンド取り付け部１８に束ねて保持する手順について説明する。
【００３９】
複数本のケーブル１４をバンド取り付け部１８に保持するに当っては、ベース３からトップカバー４を取り外し、バンド取り付け部１８を露出させる。複数本のケーブル１４は、ケーブル導入孔１５からベース３の内部に導入されて、溝部２４および対向壁２３の切り欠き部３８を横切っている。
【００４０】
この状態で、バンド取り付け部１８の上方から結束バンド１９を挿入部２５に挿入する。図５に示すように、結束バンド１９は、そのバンド部２０の先端２０ａを先頭にした姿勢で挿入部２５に挿入される。バンド部２０の先端２０ａは、端壁３０と結束部２８との間から開口２７の上を通って導出部２６の方向に導かれる。
【００４１】
この際、型抜き用の開口２７に連なる導出部２６の第２の端部３４ｂは、同じく開口２７に連なる挿入部２５の第１の端部３４ａよりも下方にずれている。このため、バンド部２０の先端２０ａは、開口２７の上を通過した後、導出部２６のガイド面３６に突き当たる。
【００４２】
本実施の形態によると、ガイド面３６は、バンド部２０の先端２０ａがガイド面３６に対し９０°よりも小さな角度θ１で突き当たるように傾斜している。このため、バンド部２０の先端２０ａは、ガイド面３６の傾斜に沿って上向きに導かれることになり、開口２７の方向に折れ曲がり難くなる。
【００４３】
引き続いてバンド部２０を挿入部２５に挿入していくと、図６に示すように、バンド部２０の先端２０ａがガイド面３６の傾斜方向に沿うようにして導出部２６からベース３の第２の壁部７ｂに向けて導出される。これにより、バンド部２０の先端２０ａが第２の壁部７ｂに突き当たる。
【００４４】
本実施の形態では、バンド部２０の先端２０ａは、起立する第２の壁部７ｂに対し９０°よりも小さな角度θ２で突き当たるので、バンド部２０の先端２０ａは、第２の壁部７ｂに沿って上方に滑らかに導かれ、ベース３の上に突き出す。
【００４５】
次に、ベース３の上に突き出したバンド部２０の先端２０ａを手で掴むとともに、図６に矢印Ａで示すように、バンド部２０の先端２０ａを結束部２８の上を通して結束バンド１９のラッチ部２１に差し込む。これにより、図７に示すように、結束バンド１９が複数のケーブル１４および結束部２８を取り囲むようにループ状に形成される。
【００４６】
ラッチ部２１に通したバンド部２０の先端２０ａを引っ張ると、結束バンド１９がループの径を縮小させるように締め付けられて結束部２８に巻き付く。この結果、結束バンド１９は、結束部２８と協働してケーブル１４を一つに束ねるとともに、このケーブル１４を結束部２８に沿わせた姿勢で固定する。
【００４７】
結束部２８と直交する対向壁２３は、ケーブル１４を通す切り欠き部３８を有し、この切り欠き部３８の縁３９は、結束部２８よりも導出部２６の方向に張り出している。このため、ケーブル１４を結束部２８に束ねて固定すると、図４に最も良く示されるように、ケーブル１４が切り欠き部３８の縁３９に押し付けられて、この縁３９から結束部２８に向けて斜めに引っ張られる。
【００４８】
よって、ケーブル１４が切り欠き部３８の箇所でクランク状に折れ曲がり、ケーブル１４が軸方向に沿ってずれ動き難くなる。
【００４９】
このような本発明の第１の実施の形態によれば、結束バンド１９を挿入部２５に挿入した時に、この結束バンド１９の先端２０ａが型抜き用の開口２７に入り込み難くなり、この先端２０ａをガイド面３６で確実に受け止めることができる。
【００５０】
しかも、ガイド面３６は、開口２７から遠ざかるに従い上向きに傾斜するので、このガイド面３６に結束バンド１９の先端２０ａが９０°よりも小さな角度（θ１）で突き当たる。このため、結束バンド１９を挿入部２５に挿入していくと、結束バンド１９は開口２７の方向に折れ曲がることなく確実に導出部２６の上方に導かれる。
【００５１】
加えて、結束バンド１９の先端２０ａは、導出部２６の上に導出された後、ベース３の第２の壁部７ｂに対し９０°よりも小さな角度（θ２）で突き当たる。これにより、結束バンド１９の先端２０ａは、ベース３の上方に滑らかに突出し、この先端２０ａを手の指先で容易に掴むことができる。
【００５２】
よって、結束バンド１９を結束部２８にループ状に巻き付ける作業を容易に行うことができ、ケーブル１４を結束部２８に束ねる際の作業性が向上する。
【００５３】
それとともに、バンド取り付け部１８に対する結束バンド１９の挿通経路が定まるので、結束バンド１９を用いてケーブル１４をしっかりと束ねることができる。よって、ケーブル１４が結束部２８からずれ動き難くなり、このケーブル１４を筐体２の定位置に確実に固定することができる。
【００５４】
なお、本発明は上記第１の実施の形態に特定されるものではない。図８は、本発明の第２の実施の形態を開示している。
【００５５】
この第２の実施の形態は、導出部２６の底壁３３の形状が上記第１の実施の形態と相違しており、それ以外のバンド取り付け部１８の構成は、第１の実施の形態と同様である。
【００５６】
図８に示すように、底壁３３は、開口２７に連なる第２の端部３４ａから第２の壁部７ｂに向けて延びる水平部４１と、この水平部４１から第２の壁部７ｂに近づくに従い上向きに傾斜する傾斜部４２とを備えている。水平部４１から傾斜部４２に至る境界部分は、結束バンド１９の先端２０ａの引っ掛かりを防止するため、円弧状に湾曲する形状となっている。
【００５７】
このような構成においても、バンド取り付け部１８の挿入部２５から挿入される結束バンド１９の先端２０ａを、底壁３３の水平部４１又は傾斜部４２で確実に受け止めることができる。よって、結束バンド１９の先端２０ａが型抜き用の開口２７に入り込み難くなり、バンド取り付け部１８に対する結束バンド１９の挿入作業を容易に行うことができる。
【００５８】
図９は、本発明の第３の実施の形態を開示している。
【００５９】
この第３の実施の形態は、導出部２６の底壁３３を円弧状に湾曲させた点が上記第１の実施の形態と相違しており、それ以外のバンド取り付け部１８の構成は、第１の実施の形態と同様である。
【００６０】
この第３の実施の形態によると、導出部２６の底壁３３を湾曲させたことで、結束バンド１９の先端２０ａが開口２７の方向により一層折れ曲がり難くなる。よって、結束バンド１９の先端２０ａを溝部２４の上方に向けて滑らかに案内できるといった利点がある。
【００６１】
さらに、本発明に係る電子機器は、電話回線に接続するコントロールボックスに限らず、例えば情報処理装置のようなその他の機器であっても同様に実施可能である。
【図面の簡単な説明】
【００６２】
【図１】本発明の第１の実施の形態に係るコントロールボックスの斜視図。
【図２】本発明の第１の実施の形態において、バンド取り付け部に複数本のケーブルを束ねて保持した状態を示すコントロールボックスの斜視図。
【図３】本発明の第１の実施の形態に係るバンド取り付け部の斜視図。
【図４】本発明の第１の実施の形態において、バンド取り付け部に結束バンドを介して複数本のケーブルを束ねて保持した状態を示す斜視図。
【図５】本発明の第１の実施の形態において、結束バンドの先端が挿入部から導出部に導入された状態を示すバンド取り付け部の断面図。
【図６】本発明の第１の実施の形態において、結束バンドがベースの上に突き出した状態を示すバンド取り付け部の断面図。
【図７】本発明の第１の実施の形態において、複数本のケーブルを結束バンドによって結束部に束ねる状態を示すバンド取り付け部の断面図。
【図８】本発明の第２の実施の形態に係るバンド取り付け部の断面図。
【図９】本発明の第３の実施の形態に係るバンド取り付け部の断面図。
【符号の説明】
【００６３】
２…筐体、１４…ケーブル、１８…バンド取り付け部、１９…結束バンド、２５…挿入部、２６…導出部、２７…開口、２８…結束部、３４ａ…第１の端部、３４ｂ…第２の端部、３５…隙間。
【図１】
2007227635.tif 000003
【図２】
2007227635.tif 000004
【図３】
2007227635.tif 000005
【図４】
2007227635.tif 000006
【図５】
2007227635.tif 000007
【図６】
2007227635.tif 000008
【図７】
2007227635.tif 000009
【図８】
2007227635.tif 000010
【図９】
2007227635.tif 000011